(57)【要約】【課題】通信品質を向上するとともに、キャリアが提供するサービスを利用可能な通信システムを提供する。【解決手段】管理サーバ２００は、キャリア別の契約電話番号を記憶する電話番号テーブル記憶部２０２と、ユーザ携帯電話機１００から、その電話番号とキャリア情報および発信先電話機１８０の電話番号を含む発信要求を受信する要求受信部２１０と、電話番号テーブル記憶部２０２を参照し、キャリア情報に対応する契約電話番号を取得する選択部２１４とを備え、ＳＩＰ対応サーバ２５０は、取得した契約電話番号でユーザ携帯電話機１００の電話番号に発呼して第１回線を開通させる第１接続部２５２と、所定の契約電話番号で発信先電話機１８０の電話番号に発呼して第２回線を開通させる第２接続部２５４と、第１回線と第２回線とを接続してユーザ携帯電話機１００と発信先電話機１８０とを通話状態とする回線接続部２５６とを備える。【選択図】図１
2010074397.tif 000002
【特許請求の範囲】
【請求項１】
電話端末のキャリア別の契約電話番号を電話番号テーブルに記憶する記憶手段と、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信する要求受信手段と、
前記発信要求を受信したとき、前記電話番号テーブルを参照し、前記キャリア情報が示すキャリアに対応する契約電話番号を取得する取得手段と、
取得した前記契約電話番号で前記発信元ユーザの前記電話端末の前記発信元電話番号に発呼して第１回線を開通させる第１接続手段と、
所定の契約電話番号で前記発信要求に含まれる前記発信先ユーザの前記電話端末の前記発信先電話番号に発呼して第２回線を開通させる第２接続手段と、
前記第１回線と前記第２回線とを接続して前記発信元ユーザの前記電話端末と前記発信先ユーザの前記電話端末とを通話状態とする回線接続手段と、を備える通信仲介装置。
【請求項２】
請求項１に記載の通信仲介装置において、
前記電話番号テーブルは、同一キャリアでも異なるサービスを契約した複数の契約電話番号を含み、
前記取得手段は、前記複数の契約電話番号の中から通話条件に適したサービスが契約されている契約電話番号を取得する通信仲介装置。
【請求項３】
請求項１に記載の通信仲介装置において、
前記発信先ユーザの前記電話端末の前記発信先電話番号からキャリアを推定する推定手段と、
前記電話番号テーブルを参照し、推定された前記発信先ユーザの前記電話端末の前記キャリアに対応する契約電話番号を選択する選択手段と、
前記回線接続手段による前記発信元ユーザの前記電話端末および前記発信先ユーザの前記電話端末間の通話後、その通話条件および通話料金を取得する取得手段と、
前記発信先ユーザの前記電話端末の前記発信先電話番号ごとに、選択した前記契約電話番号のキャリア情報、前記通話条件、および前記通話料金を関連付けて通話履歴として記録する記録手段と、
前記通話履歴に基づき、前記通話条件下で前記発信先ユーザの前記電話端末との前記通話料金が少ない契約電話番号のキャリアを判別する判別手段と、
判別された前記キャリアを前記発信先ユーザの前記電話端末の前記発信先電話番号に発呼する際に使用する契約電話番号のキャリアとしてキャリアテーブルに登録する登録手段と、を備え、
前記推定手段は、前記発信先ユーザの前記電話端末の前記発信先電話番号に発呼する契約電話番号のキャリアとして、前記キャリアテーブルに登録された前記キャリアを決定する通信仲介装置。
【請求項４】
請求項３に記載の通信仲介装置において、
前記電話番号テーブルは、同一キャリアでも異なるサービスを契約した複数の契約電話番号を含み、
前記選択手段は、前記複数の契約電話番号の中から通話条件に適したサービスが契約されている契約電話番号を選択する通信仲介装置。
【請求項５】
第１ユーザの第１電話端末と、
第２ユーザの第２電話端末と、
前記第１電話端末と前記第２電話端末との間の通信を仲介する通信仲介装置と、を備えた通信システムであって、
前記第１電話端末は、
自身の発信元電話番号、自身のキャリアを示すキャリア情報、および前記第２電話端末の発信先電話番号を含む発信要求をネットワークを介して前記通信仲介装置に送信する要求手段と、
前記通信仲介装置から着呼し、第１回線を介して前記通信仲介装置と接続する接続手段と、を備え、
前記通信仲介装置は、
電話端末のキャリア別の契約電話番号を電話番号テーブルに記憶する記憶手段と、
前記第１電話端末から、前記発信要求をネットワークを介して受信する要求受信手段と、
前記発信要求を受信したとき、前記電話番号テーブルを参照し、前記キャリア情報が示すキャリアに対応する契約電話番号を取得する取得手段と、
取得した前記契約電話番号で前記発信要求に含まれる前記第１電話端末の前記発信元電話番号に発呼して前記第１回線を開通させる第１接続手段と、
所定の契約電話番号で前記発信要求に含まれる前記第２電話端末の前記発信先電話番号に発呼して第２回線を開通させる第２接続手段と、
前記第１回線と前記第２回線とを接続して前記第１電話端末と前記第２電話端末とを通話状態とする回線接続手段と、を備える通信システム。
【請求項６】
請求項５に記載の通信システムにおいて、
前記通信仲介装置は、
前記第２電話端末の前記発信先電話番号から前記第２電話端末のキャリアを推定する推定手段と、
前記電話番号テーブルを参照し、推定された前記第２電話端末の前記キャリアに対応する契約電話番号を選択する選択手段と、
前記回線接続手段による前記第１電話端末および前記第２電話端末間の通話後、その通話条件および通話料金を取得する取得手段と、
前記第２電話端末の前記発信先電話番号ごとに、選択した前記契約電話番号のキャリア情報、前記通話条件、および前記通話料金を関連付けて通話履歴として記録する記録手段と、
前記通話履歴に基づき、前記通話条件下で前記第２電話端末との前記通話料金が少ない契約電話番号のキャリアを判別する判別手段と、
判別された前記キャリアを、前記第２電話端末の前記発信先電話番号に発呼する際に使用する契約電話番号のキャリアとしてキャリアテーブルに登録する登録手段と、を備え、
前記通信仲介装置の前記推定手段は、前記第２電話端末の前記発信先電話番号に発呼する契約電話番号のキャリアとして、前記キャリアテーブルに登録された前記キャリアを決定する通信システム。
【請求項７】
通信仲介装置のデータ処理方法であって、
前記通信仲介装置は、電話端末のキャリア別の契約電話番号を電話番号テーブルに記憶する記憶装置を備え、
前記通信仲介装置は、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信し、
前記発信要求を受信したとき、前記電話番号テーブルを参照し、前記キャリア情報が示すキャリアに対応する契約電話番号を取得し、
取得した前記契約電話番号で前記発信元ユーザの前記電話端末の前記発信元電話番号に発呼して第１回線を開通させ、
所定の契約電話番号で前記発信要求に含まれる前記発信先ユーザの前記電話端末の前記発信先電話番号に発呼して第２回線を開通させ、
前記第１回線と前記第２回線とを接続して前記発信元ユーザの前記電話端末と前記発信先ユーザの前記電話端末とを通話状態とする通信仲介装置のデータ処理方法。
【請求項８】
請求項７に記載の通信仲介装置のデータ処理方法において、
前記通信仲介装置は、通話履歴を記憶する履歴記憶装置と、前記発信先電話番号ごとに発呼する際に使用する契約電話番号のキャリアをキャリアテーブルに記憶するキャリアテーブル記憶装置と、を有し、
前記通信仲介装置は、
前記発信先ユーザの前記電話端末の前記発信先電話番号からキャリアを推定し、
前記電話番号テーブルを参照し、推定された前記発信先ユーザの前記電話端末の前記キャリアに対応する契約電話番号を選択し、
前記発信元ユーザの前記電話端末および前記発信先ユーザの前記電話端末間の通話後、その通話条件および通話料金を取得し、
前記発信先ユーザの前記電話端末の前記発信先電話番号ごとに、選択した前記契約電話番号のキャリア情報、前記通話条件、および前記通話料金を関連付けて前記通話履歴として前記履歴記憶装置に記録し、
前記通話履歴に基づき、前記通話条件下で前記発信先ユーザの前記電話端末との前記通話料金が少ない契約電話番号のキャリアを判別し、
判別された前記キャリアを前記発信先ユーザの前記電話端末の前記発信先電話番号に発呼する際に使用する契約電話番号のキャリアとして前記キャリアテーブルに登録し、
前記発信先ユーザの前記電話端末の前記発信先電話番号に発呼する契約電話番号のキャリアとして、前記キャリアテーブルに登録された前記キャリアを決定する通信仲介装置のデータ処理方法。
【請求項９】
通信仲介装置を実現するためのコンピュータプログラムであって、
電話端末のキャリア別の契約電話番号を電話番号テーブルに記憶する記憶装置を有するコンピュータを、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信する要求受信手段、
前記発信要求を受信したとき、前記電話番号テーブルを参照し、前記キャリア情報が示すキャリアに対応する契約電話番号を取得する取得手段、
取得した前記契約電話番号で前記発信元ユーザの前記電話端末の前記発信元電話番号に発呼して第１回線を開通させる第１接続手段、
所定の契約電話番号で前記発信要求に含まれる前記発信先ユーザの前記電話端末の前記発信先電話番号に発呼して第２回線を開通させる第２接続手段、
前記第１回線と前記第２回線とを接続して前記発信元ユーザの前記電話端末と前記発信先ユーザの前記電話端末とを通話状態とする回線接続手段、として機能させるためのコンピュータプログラム。
【請求項１０】
請求項９に記載のコンピュータプログラムであって、
前記コンピュータは、通話履歴を記憶する履歴記憶装置と、前記発信先電話番号ごとに発呼する際に使用する契約電話番号のキャリアをキャリアテーブルに記憶するキャリアテーブル記憶装置と、を有し、
前記コンピュータを、
前記発信先ユーザの前記電話端末の前記発信先電話番号からキャリアを推定する推定手段、
前記電話番号テーブルを参照し、推定された前記発信先ユーザの前記電話端末の前記キャリアに対応する契約電話番号を選択する選択手段、
前記回線接続手段による前記発信元ユーザの前記電話端末および前記発信先ユーザの前記電話端末間の通話後、その通話条件および通話料金を取得する取得手段、
前記発信先ユーザの前記電話端末の前記発信先電話番号ごとに、選択した前記契約電話番号のキャリア情報、前記通話条件、および前記通話料金を関連付けて前記通話履歴として前記履歴記憶装置に記録する記録手段、
前記通話履歴に基づき、前記通話条件下で前記発信先ユーザの前記電話端末との前記通話料金が少ない契約電話番号のキャリアを判別する判別手段、
判別された前記キャリアを前記発信先ユーザの前記電話端末の前記発信先電話番号に発呼する際に使用する契約電話番号のキャリアとして前記キャリアテーブルに登録する登録手段、
前記発信先ユーザの前記電話端末の前記発信先電話番号に発呼する契約電話番号のキャリアとして、前記キャリアテーブルに登録された前記キャリアを決定する手段として機能させるためのコンピュータプログラム。
【発明の詳細な説明】
【技術分野】
【０００１】
本発明は、通信システム、通信仲介装置、そのデータ処理方法、およびそのコンピュータプログラムに関する。
【背景技術】
【０００２】
電話回線切替装置の一例が特許文献１に記載されている。特許文献１の電話回線切替装置は、複数の電話回線に対応して端末電話番号が割り当てられた端末装置と、相手端末との間で中継を行う電話中継システムに組み込まれる電話回線切替装置であって、電話回線の切替えを行うエージェント装置を有し、端末装置は、異なる電話番号を用いて前記相手端末との間に回線接続されるものであって、管理部を有し、端末装置の管理部は、前記エージェント装置に回線接続の制御指令を送信し、前記エージェント装置は、前記管理部から送信される回線接続の制御指令に基づいて、複数の電話回線に対応して割り当てられた電話番号に共通な電話番号を用いて、端末装置と相手端末との間で回線接続を行う。
【０００３】
すなわち、エージェント装置の接続管理手段は、端末装置からの発信要求を受信したときに、現在電話番号を指定して端末発呼手段を作動させるとともに、通話相手発呼手段を作動させて、端末装置の現在電話番号とエージェント装置との間に端末側接続を、エージェント装置と通話相手端末との間に相手側接続をそれぞれ確立させる。接続管理手段は、通話相手端末からの着呼があったときには、この着呼に対応して相手側接続を確立させるとともに、現在電話番号を指定して端末発呼手段を作動させて端末側接続を確立させる。通信中継手段は、接続管理手段の確立した二つの接続を利用して通話の中継を行う。
【特許文献１】特開２００７−１５１０８１号公報
【発明の開示】
【発明が解決しようとする課題】
【０００４】
ところで、携帯電話等の端末が通信するためのサービスを提供する通信事業者（キャリア）は複数存在しているが、キャリア間の競争が進み、各社様々なサービスをユーザに提供することで、互いの差別化を図り、ユーザの囲い込みを図ろうとしている。しかしながら、これらのサービスは、常に変化し続けるとともに、多様化していく傾向にあるため、最適なサービスを提供するキャリアを選択したり、最適なサービスを選択したりするのは、ユーザにとって困難であった。また、他社キャリアとの通信品質が自社キャリアとの通信品質に比較して劣っているといった問題点があった。
【０００５】
本発明の目的は、上述した課題を解決する通信システム、通信仲介装置、そのデータ処理方法、およびそのコンピュータプログラムを提供することにある。
【課題を解決するための手段】
【０００６】
本発明の通信仲介装置は、電話端末のキャリア別の契約電話番号を電話番号テーブルに記憶する記憶手段と、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信する要求受信手段と、
前記発信要求を受信したとき、前記電話番号テーブルを参照し、前記キャリア情報が示すキャリアに対応する契約電話番号を取得する取得手段と、
取得した前記契約電話番号で前記発信元ユーザの前記電話端末の前記発信元電話番号に発呼して第１回線を開通させる第１接続手段と、
所定の契約電話番号で前記発信要求に含まれる前記発信先ユーザの前記電話端末の前記発信先電話番号に発呼して第２回線を開通させる第２接続手段と、
前記第１回線と前記第２回線とを接続して前記発信元ユーザの前記電話端末と前記発信先ユーザの前記電話端末とを通話状態とする回線接続手段と、を備える。
【０００７】
本発明の通信システムは、
第１ユーザの第１電話端末と、
第２ユーザの第２電話端末と、
前記第１電話端末と前記第２電話端末との間の通信を仲介する通信仲介装置と、を備えた通信システムであって、
前記第１電話端末は、
自身の発信元電話番号、自身のキャリアを示すキャリア情報、および前記第２電話端末の発信先電話番号を含む発信要求をネットワークを介して前記通信仲介装置に送信する要求手段と、
前記通信仲介装置から着呼し、第１回線を介して前記通信仲介装置と接続する接続手段と、を備え、
前記通信仲介装置は、
電話端末のキャリア別の契約電話番号を電話番号テーブルに記憶する記憶手段と、
前記第１電話端末から、前記発信要求をネットワークを介して受信する要求受信手段と、
前記発信要求を受信したとき、前記電話番号テーブルを参照し、前記キャリア情報が示すキャリアに対応する契約電話番号を取得する取得手段と、
取得した前記契約電話番号で前記発信要求に含まれる前記第１電話端末の前記発信元電話番号に発呼して前記第１回線を開通させる第１接続手段と、
所定の契約電話番号で前記発信要求に含まれる前記第２電話端末の前記発信先電話番号に発呼して第２回線を開通させる第２接続手段と、
前記第１回線と前記第２回線とを接続して前記第１電話端末と前記第２電話端末とを通話状態とする回線接続手段と、を備える。
【０００８】
本発明のデータ処理方法は、通信仲介装置のデータ処理方法であって、
前記通信仲介装置は、電話端末のキャリア別の契約電話番号を電話番号テーブルに記憶する記憶装置を備え、
前記通信仲介装置は、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信し、
前記発信要求を受信したとき、前記電話番号テーブルを参照し、前記キャリア情報が示すキャリアに対応する契約電話番号を取得し、
取得した前記契約電話番号で前記発信元ユーザの前記電話端末の前記発信元電話番号に発呼して第１回線を開通させ、
所定の契約電話番号で前記発信要求に含まれる前記発信先ユーザの前記電話端末の前記発信先電話番号に発呼して第２回線を開通させ、
前記第１回線と前記第２回線とを接続して前記発信元ユーザの前記電話端末と前記発信先ユーザの前記電話端末とを通話状態とする。
【０００９】
本発明のコンピュータプログラムは、通信仲介装置を実現するためのコンピュータプログラムであって、
電話端末のキャリア別の契約電話番号を電話番号テーブルに記憶する記憶装置を有するコンピュータを、
発信元ユーザの電話端末から、前記発信元ユーザの前記電話端末の発信元電話番号、前記発信元ユーザの前記電話端末のキャリアを示すキャリア情報、および発信先ユーザの電話端末の発信先電話番号を含む発信要求をネットワークを介して受信する要求受信手段、
前記発信要求を受信したとき、前記電話番号テーブルを参照し、前記キャリア情報が示すキャリアに対応する契約電話番号を取得する取得手段、
取得した前記契約電話番号で前記発信元ユーザの前記電話端末の前記発信元電話番号に発呼して第１回線を開通させる第１接続手段、
所定の契約電話番号で前記発信要求に含まれる前記発信先ユーザの前記電話端末の前記発信先電話番号に発呼して第２回線を開通させる第２接続手段、
前記第１回線と前記第２回線とを接続して前記発信元ユーザの前記電話端末と前記発信先ユーザの前記電話端末とを通話状態とする回線接続手段、として機能させるためのものである。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障しない範囲で変更することができる。
【００１３】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
本発明によれば、通信品質を向上するとともに、キャリアが提供するサービスを利用可能な通信システム、通信仲介装置、そのデータ処理方法、およびそのコンピュータプログラムが提供される。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
（第１の実施の形態）
図１は、本発明の実施の形態に係る通信システム１の構成を示す機能ブロック図である。
本実施形態の通信システム１において、通信仲介装置（管理サーバ２００およびＳＩＰ対応サーバ２５０）は、電話端末のキャリア別の契約電話番号を電話番号テーブルに記憶する記憶部（電話番号テーブル記憶部２０２）と、発信元ユーザのユーザ携帯電話機１００から、発信元ユーザのユーザ携帯電話機１００の発信元電話番号、発信元ユーザのユーザ携帯電話機１００のキャリアを示すキャリア情報、および発信先ユーザの電話端末（発信先電話機１８０）の発信先電話番号を含む発信要求をネットワーク３を介して受信する要求受信部２１０と、発信要求を受信したとき、電話番号テーブル記憶部２０２を参照し、キャリア情報が示すキャリアに対応する契約電話番号を取得する取得部（選択部２１４）と、取得した契約電話番号で発信元ユーザのユーザ携帯電話機１００の発信元電話番号に発呼して第１回線を開通させる第１接続部２５２と、所定の契約電話番号で発信要求に含まれる発信先ユーザの発信先電話機１８０の発信先電話番号に発呼して第２回線を開通させる第２接続部２５４と、第１回線と第２回線とを接続して発信元ユーザのユーザ携帯電話機１００と発信先ユーザの発信先電話機１８０とを通話状態とする回線接続部２５６と、を備える。
【００１７】
具体的には、本実施形態の通信システム１は、ユーザのユーザ携帯電話機１００からの発信要求を受ける管理サーバ２００と、管理サーバ２００からの指示に従って、ユーザ携帯電話機１００と発信先電話機１８０とを通話状態にするＳＩＰ対応サーバ２５０と、を備える。
【００１８】
ユーザ携帯電話機１００は、たとえば、携帯電話機、ＰＨＳ（Personal Handyphone System）などであり、図示されない制御部、記憶部、インタフェース部、表示部、操作部、移動通信部、撮像部、赤外線通信部、および無線通信部などを含む。発信先電話機１８０は、特に限定されず、様々な電話に対応できる。管理サーバ２００は、サーバコンピュータである。
【００１９】
ＳＩＰ対応サーバ２５０は、サーバコンピュータであり、本実施形態では、ＳＩＰ対応サーバとしているが、これに限定されるものではない。ＳＩＰ対応サーバ２５０は、管理サーバ２００に接続され、管理サーバ２００から指示された、発信元の電話端末（ユーザ携帯電話機１００）の電話番号に、指定された第１の契約電話番号で発呼し、ユーザ携帯電話機１００が応答すると、発信先の電話端末（発信先電話機１８０）に、指定された第２の契約電話番号で発呼し、発信先電話機１８０が応答すると、ユーザ携帯電話機１００と発信先電話機１８０の回線を通話状態にする通信仲介装置である。
【００２０】
管理サーバ２００およびＳＩＰ対応サーバ２５０の構成は、図１に決定されるものではなく、各サーバの構成要素は、互いに組み合わせたり、交換したりすることも可能である。
【００２１】
公衆回線網５および公衆回線網７は、各社の加入電話、アナログまたはデジタル固定電話、ＩＰ電話などの公衆回線網および各キャリアの携帯電話網を含む。図では、公衆回線網５および公衆回線網７は、別の公衆回線網として記載されているが、実質的に同じ回線網内で、異なる回線を使用して接続することもできる。また、各回線網と各端末およびＳＩＰ対応サーバ２５０間には、基地局などを含むが、図では省略してある。
【００２２】
なお、以下の各図において、本発明の本質に関わらない部分の構成については省略してあり、図示されていない。
【００２３】
また、通信システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２４】
ユーザ携帯電話機１００は、発信要求部１０２と、回線接続部１０４と、を有する。発信要求部１０２は、発信先電話番号へのユーザの発信操作を受け付けて、自身の発信元電話番号、自身のキャリアを示すキャリア情報、および発信先電話機１８０の発信先電話番号を含む発信要求をネットワーク３を介して通信仲介装置（管理サーバ２００）に送信する。自身の発信元電話番号および自身のキャリアを示すキャリア情報は、ユーザ携帯電話機１００の図示されないメモリに記憶されている。回線接続部１０４は、通信仲介装置（ＳＩＰ対応サーバ２５０）から公衆回線網５を介して着呼し、ユーザが応答したとき、通信仲介装置（ＳＩＰ対応サーバ２５０）と第１回線の接続を確立させる。
【００２５】
管理サーバ２００は、電話番号テーブル記憶部（図では、「電話番号テーブル」と示す）２０２と、要求受信部２１０と、発信元キャリア特定部２１２と、選択部２１４と、発信指示部２１６と、を有する。
【００２６】
電話番号テーブル記憶部２０２は、キャリア別の契約電話番号を記憶する。図２に示すように、電話番号テーブル記憶部２０２は、たとえば、キャリアＩＤごとに、少なくとも一つの契約電話番号を記憶する。
【００２７】
図１に戻り、要求受信部２１０は、発信元ユーザのユーザ携帯電話機１００から、ユーザ携帯電話機１００の発信元電話番号、ユーザ携帯電話機１００のキャリアを示すキャリア情報、および発信先電話機１８０の電話番号を含む発信要求をネットワーク３を介して受信する。
【００２８】
発信元キャリア特定部２１２は、要求受信部２１０が発信要求を受信したとき、発信要求に含まれるキャリア情報を取得してユーザ携帯電話機１００のキャリアを特定する。選択部２１４は、電話番号テーブル記憶部２０２を参照し、発信元キャリア特定部２１２により特定されたキャリアに対応する契約電話番号を選択する。
【００２９】
発信指示部２１６は、選択部２１４が選択した契約電話番号を第１電話番号として、所定の契約電話番号を第２電話番号として、発信要求に含まれるユーザ携帯電話機１００の電話番号および発信先電話機１８０の電話番号とともにＳＩＰ対応サーバ２５０に通知し、ＳＩＰ対応サーバ２５０に発信を指示する。ＳＩＰ対応サーバ２５０は、発信指示部２１６からの指示を受けて、第１電話番号でユーザ携帯電話機１００の電話番号に発呼し、第２電話番号で発信先電話機１８０の電話番号に発呼する。
【００３０】
詳細には、ＳＩＰ対応サーバ２５０は、第１接続部２５２と、第２接続部２５４と、回線接続部２５６と、を有する。
【００３１】
回線接続部２５６は、発信指示部２１６からの指示に従い、第１接続部２５２および第２接続部２５４に、第１電話番号および第２電話番号でそれぞれユーザ携帯電話機１００の電話番号および発信先電話機１８０の電話番号に発呼させ、第１回線および第２回線の接続をそれぞれ確立させて、ユーザ携帯電話機１００と発信先電話機１８０を通話状態とする。
【００３２】
第１接続部２５２は、回線接続部２５６からの指示に従い、第１電話番号でユーザ携帯電話機１００の電話番号に公衆回線網５を介して発呼し、ユーザ携帯電話機１００のユーザが応答したとき、ユーザ携帯電話機１００との第１回線の接続を確立させ、その旨を回線接続部２５６に通知する。
【００３３】
このとき、回線接続部２５６は、第１接続部２５２からの通知を受けて、第２接続部２５４に第２電話番号で発信先電話機１８０の電話番号に発呼を指示する。第２接続部２５４は、回線接続部２５６からの指示に従い、第２電話番号で発信先電話機１８０の電話番号に公衆回線網７を介して発呼し、発信先電話機１８０のユーザが応答したとき、発信先電話機１８０との第２回線の接続を確立させ、その旨を回線接続部２５６に通知する。回線接続部２５６は、第２接続部２５４からの通知を受けて、第１回線および第２回線を接続して、ユーザ携帯電話機１００および発信先電話機１８０を通話状態とする。
【００３４】
このように、ユーザ携帯電話機１００からの発信要求に呼応して、ＳＩＰ対応サーバ２５０からユーザ携帯電話機１００に発呼し、ユーザ携帯電話機１００が応答したことによりユーザ携帯電話機１００とＳＩＰ対応サーバ２５０との間の第１回線を接続し、その後、ＳＩＰ対応サーバ２５０から発信先電話機１８０に発呼し、管理サーバ２００が応答したことにより発信先電話機１８０とＳＩＰ対応サーバ２５０との間の第２回線を接続することで、ユーザ携帯電話機１００の電話番号を発信先電話機１８０に秘匿して電話することができる。また、ユーザ携帯電話機１００が、たとえば、個人の所有物であり、業務上の電話をユーザ携帯電話機１００を使用してかける場合などに、ユーザ携帯電話機１００には通話料金を負担させずにユーザ携帯電話機１００を使用して通話が可能となる。
【００３５】
本実施の形態の管理サーバ２００およびＳＩＰ対応サーバ２５０からなる通信仲介装置は、各装置のメモリ（不図示）に実装されているコンピュータプログラムに対応して各種の処理動作を実行することにより、前述のような各種手段２０２〜２１６および２５２〜２５６が各種機能として実現されている。
【００３６】
本実施形態のコンピュータプログラムは、通信仲介装置（管理サーバ２００およびＳＩＰ対応サーバ２５０）を実現するためのコンピュータプログラムであって、電話端末のキャリア別の契約電話番号を記憶する電話番号テーブル記憶部２０２を有するコンピュータに、ユーザ携帯電話機１００から、ユーザ携帯電話機１００の発信元電話番号、ユーザ携帯電話機１００のキャリアを示すキャリア情報、および発信先電話機１８０の発信先電話番号を含む発信要求をネットワーク３を介して受信する要求受信手順、発信要求を受信したとき、電話番号テーブル記憶部２０２を参照し、キャリア情報が示すキャリアに対応する契約電話番号（第１電話番号）を取得する取得手順、取得した契約電話番号（第１電話番号）でユーザ携帯電話機１００の発信元電話番号に発呼して第１回線を開通させる第１接続手順、所定の契約電話番号（第２電話番号）で発信要求に含まれる発信先電話機１８０の発信先電話番号に発呼して第２回線を開通させる第２接続手順、第１回線と第２回線とを接続してユーザ携帯電話機１００と発信先電話機１８０とを通話状態とする回線接続手順、を実行させるように記述されている。
【００３７】
上述のような構成において、本実施の形態の通信仲介装置のデータ処理方法を以下に説明する。図３は、本実施形態の通信システム１の動作の一例を示すフローチャートである。
【００３８】
本実施形態のデータ処理方法は、通信仲介装置（管理サーバ２００およびＳＩＰ対応サーバ２５０）のデータ処理方法であって、通信仲介装置（管理サーバ２００）は、電話端末のキャリア別の契約電話番号を記憶する電話番号テーブル記憶部２０２を備え、通信仲介装置（管理サーバ２００およびＳＩＰ対応サーバ２５０）は、ユーザ携帯電話機１００から、ユーザ携帯電話機１００の発信元電話番号、ユーザ携帯電話機１００のキャリアを示すキャリア情報、および発信先電話機１８０の発信先電話番号を含む発信要求をネットワーク３を介して受信し、発信要求を受信したとき（ステップＳ１３１のＹＥＳ）、電話番号テーブル記憶部２０２を参照し、キャリア情報が示すキャリアに対応する契約電話番号（第１電話番号）を取得し（ステップＳ１３３）、取得した契約電話番号（第１電話番号）で発信先電話機１８０の発信元電話番号に発呼して第１回線を開通させ（ステップＳ１３５、Ｓ１５３）、所定の契約電話番号（第２電話番号）で発信要求に含まれる発信先電話機１８０の発信先電話番号に発呼して第２回線を開通させ（ステップＳ１５７）、第１回線と第２回線とを接続してユーザ携帯電話機１００と発信先電話機１８０とを通話状態とする（ステップＳ１６１）。
【００３９】
詳細には、まず、ユーザ携帯電話機１００において、ユーザの操作部の操作などにより、発信先電話番号を受け付ける（ステップＳ１０１）。そして、ユーザの操作部の操作などにより、発信指示を受け付けると（ステップＳ１０３のＹＥＳ）、発信要求部１０２が自身の発信元電話番号、自身のユーザ携帯電話機１００のキャリアを示すキャリア情報、およびユーザの発信先電話機１８０の発信先電話番号を含む発信要求をネットワーク３を介して管理サーバ２００に送信する（ステップＳ１０５）。ここでは、ユーザ携帯電話機１００は、キャリアＡの携帯電話であるとする。
【００４０】
管理サーバ２００において、要求受信部２１０が、ユーザ携帯電話機１００から発信要求をネットワーク３を介して受信する（ステップＳ１３１のＹＥＳ）。発信要求を受信したとき、発信元キャリア特定部２１２が、発信要求に含まれるキャリア情報を取得してキャリアＡを特定し、選択部２１４が、電話番号テーブル記憶部２０２を参照し、発信元キャリア特定部２１２により特定されたキャリアＡに対応する契約電話番号を選択する（ステップＳ１３３）。
【００４１】
そして、発信指示部２１６が、選択部２１４が選択した契約電話番号を第１電話番号として、所定の契約電話番号を第２電話番号として、ユーザ携帯電話機１００の電話番号および発信先電話機１８０の電話番号とともにＳＩＰ対応サーバ２５０に通知し、ＳＩＰ対応サーバ２５０に発信を指示する（ステップＳ１３５）。
【００４２】
ＳＩＰ対応サーバ２５０において、回線接続部２５６が、発信指示部２１６からの指示を受けて（ステップＳ１５１のＹＥＳ）、第１接続部２５２に、第１電話番号でユーザ携帯電話機１００の電話番号に発呼させる（ステップＳ１５３）。ユーザ携帯電話機１００において、ＳＩＰ対応サーバ２５０の第１接続部２５２から第１電話番号からの電話を着呼する（ステップＳ１０７のＹＥＳ）。ユーザ携帯電話機１００のユーザが応答すると（ステップＳ１０９）、ＳＩＰ対応サーバ２５０において、応答に呼応して（ステップＳ１５５のＹＥＳ）、第１接続部２５２が回線接続部２５６に通知する。回線接続部２５６が、第１接続部２５２からの通知を受けて、第２接続部２５４に第２電話番号で発信先電話機１８０の電話番号に発呼を指示する（ステップＳ１５７）。
【００４３】
第２接続部２５４が、回線接続部２５６からの指示に従い、第２電話番号で発信先電話機１８０の電話番号に公衆回線網７を介して発呼し、発信先電話機１８０のユーザが応答したとき（ステップＳ１５９のＹＥＳ）、発信先電話機１８０との第２回線の接続を確立させ、その旨を回線接続部２５６に通知する。回線接続部２５６が、第２接続部２５４からの通知を受けて、第１回線と第２回線を接続し、ユーザ携帯電話機１００および発信先電話機１８０を通話状態とする（ステップＳ１６１）。
【００４４】
以上説明したように、本発明の実施の形態の通信システム１によれば、ユーザ携帯電話機１００のキャリアの契約電話番号で、ＳＩＰ対応サーバ２５０とユーザ携帯電話機１００との間の第１回線を接続するので、ユーザ携帯電話機１００とＳＩＰ対応サーバ２５０の間の通話を同じキャリアで行うことができる。同じキャリアによる接続を実現することで、通話品質の向上が期待できるとともに、キャリアが提供する様々なサービスを受けることが可能となる。
【００４５】
（第２の実施の形態）
図４は、本発明の実施の形態に係る通信システム２１の構成を示す機能ブロック図である。本実施形態の通信システム２１は、上記実施形態とは、発信先の発信先電話機１８０のキャリアを推定し、発信先電話機１８０のキャリアの契約電話番号で第２回線を接続する点で相違し、管理サーバ２００に替えて管理サーバ２３０を備えている。
【００４６】
本実施形態の通信システム２１は、発信先電話機１８０の発信先電話番号からキャリアを推定する推定部（発信先キャリア推定部２３２）と、電話番号テーブル記憶部２０２を参照し、推定された発信先電話機１８０のキャリアに対応する契約電話番号を選択する選択部２３６と、回線接続部２５６によるユーザ携帯電話機１００および発信先電話機１８０間の通話後、その通話条件および通話料金を取得する取得部（料金取得部２３８）と、発信先電話機１８０の発信先電話番号ごとに、選択した契約電話番号のキャリア情報、通話条件、および通話料金を関連付けて通話履歴として記録する記録部（通話履歴記憶部２３４）と、通話履歴に基づき、通話条件下で発信先電話機１８０との通話料金が少ない契約電話番号のキャリアを判別する判別部２４０と、判別されたキャリアを発信先電話機１８０の発信先電話番号に発呼する際に使用する契約電話番号のキャリアとしてキャリアテーブルに登録する登録部（キャリアテーブル記憶部２４２）と、を備え、発信先キャリア推定部２３２は、発信先電話機１８０の発信先電話番号に発呼する契約電話番号のキャリアとして、キャリアテーブル記憶部２４２に登録されたキャリアを決定する。
【００４７】
具体的には、図４に示すように、上記実施形態の通信システム１の管理サーバ２００の構成に加え、さらに、通信システム２１の管理サーバ２３０は、発信先キャリア推定部２３２と、通話履歴記憶部２３４と、図１の選択部２１４に換えて選択部２３６と、料金取得部２３８と、判別部２４０と、キャリアテーブル記憶部（図では、「キャリアテーブル」と示す）２４２と、を備える。
【００４８】
発信先キャリア推定部２３２は、キャリアテーブル記憶部２４２を参照して、発信先電話機１８０の発信先電話番号からキャリアを推定する。キャリアテーブル記憶部２４２は、図５に示すように、電話番号ごとにキャリアを示すキャリア識別情報（ＩＤ）を対応付けて記憶する。キャリアテーブル記憶部２４２には、初期登録情報として、番号持ち運び制度（MNP：Mobile Number Portability）導入以前のキャリア別の番号割り当てを登録しておくのが好ましい。
【００４９】
通話履歴記憶部２３４は、図６に示すように、発信先電話機１８０の発信先電話番号ごとに、発信指示部２１６が第２電話番号として発信指示した契約電話番号のキャリア情報、通話日時や通話時間などの通話条件、および通話料金を関連付けて通話履歴として記録する。
【００５０】
図４に戻り、選択部２３６は、電話番号テーブル記憶部２０２を参照し、発信元キャリア特定部２１２により特定されたキャリアに対応する契約電話番号を第１電話発呼として選択するとともに、発信先キャリア推定部２３２により推定された発信先電話機１８０のキャリアに対応する契約電話番号を第２電話番号として選択し、発信指示部２１６に通知する。発信指示部２１６には、要求受信部２１０または選択部２３６から、発信要求に含まれるユーザ携帯電話機１００の電話番号および発信先電話機１８０の電話番号が通知される。
【００５１】
料金取得部２３８は、ＳＩＰ対応サーバ２５０によるユーザ携帯電話機１００および発信先電話機１８０間の通話後、その通話条件および通話料金をネットワーク３を介して各キャリアのキャリアサーバ１０（図では一キャリアのキャリアサーバ１０のみ示してある。）に問い合わせて取得する。問い合わせのタイミングなどについては、特に限定されないが、各キャリアの通話情報の提供のタイミングに合わせて行うのが好ましい。
【００５２】
判別部２４０は、通話履歴記憶部２３４を参照し、通話履歴に基づき、通話条件下で発信先電話機１８０との通話料金が少ない契約電話番号のキャリアを判別し、判別されたキャリアを発信先電話機１８０の発信先電話番号に発呼する際に使用する契約電話番号のキャリアとしてキャリアテーブル記憶部２４２に登録する。たとえば、判別部２４０は、通話条件よりキャリアごとに他社間および自社間別に通話料金を算出し、料金取得部２３８が取得した実際の通話料金と比較して、算出された各キャリアの自社間の通話料金との差が、所定の閾値未満のキャリア、または、算出された各キャリアの他社間の通話料金との差が、所定の閾値以上のキャリアをキャリアテーブル記憶部２４２に登録する。あるいは、算出された各キャリアの自社間の通話料金との差が、所定の閾値以上のキャリア、または、算出された各キャリアの他社間の通話料金との差が、所定の閾値未満のキャリアは、キャリアテーブル記憶部２４２に対象キャリアから外すことを示す情報を登録してもよい。
【００５３】
たとえば、キャリアＡの自社間の算出された通話料金と、実際の通話料金との差が所定の閾値未満であれば、発信先電話機１８０のキャリアをキャリアＡと判別してキャリアテーブル記憶部２４２に登録することができる。あるいは、キャリアＢの他社間の算出された通話料金と、実際の通話料金との差が所定の閾値以上の場合、発信先電話機１８０のキャリアからキャリアＢを外すことを示す情報をキャリアテーブル記憶部２４２に登録してもよい。
【００５４】
本実施の形態の管理サーバ２３０およびＳＩＰ対応サーバ２５０からなる通信仲介装置は、各装置のメモリ（不図示）に実装されているコンピュータプログラムに対応して各種の処理動作を実行することにより、前述のような各種手段２０２〜２１６および２５２〜２５６に加え、さらに各種手段２３２〜２４２が各種機能として実現されている。
【００５５】
本実施形態のコンピュータプログラムは、上記実施形態の通信システム１のコンピュータプログラムに加え、さらに、コンピュータが、通話履歴を記憶する通話履歴記憶部２３４と、発信先電話番号ごとに発呼する際に使用する契約電話番号のキャリアを記憶するキャリアテーブル記憶部２４２と、を有し、コンピュータに、発信先電話機１８０の発信先電話番号からキャリアを推定する推定手順、電話番号テーブル記憶部２０２を参照し、推定された発信先電話機１８０のキャリアに対応する契約電話番号（第２電話番号）を選択する選択手順、ユーザ携帯電話機１００および発信先電話機１８０間の通話後、その通話条件および通話料金を取得する取得手順、発信先電話機１８０の発信先電話番号ごとに、選択した契約電話番号（第２電話番号）のキャリア情報、通話条件、および通話料金を関連付けて通話履歴として通話履歴記憶部２３４に記録する記録手順、通話履歴記憶部２３４の通話履歴に基づき、通話条件下で発信先電話機１８０との通話料金が少ない契約電話番号のキャリアを判別する判別手順、判別されたキャリアを発信先電話機１８０の発信先電話番号に発呼する際に使用する契約電話番号（第２電話番号）のキャリアとして登録する登録手順、発信先電話機１８０の発信先電話番号に発呼する契約電話番号（第２電話番号）のキャリアとして、キャリアテーブル記憶部２４２に登録されたキャリアを決定する手順、を実行させるように記述されている。
【００５６】
上述のような構成において、本実施の形態の通信仲介装置のデータ処理方法を以下に説明する。図７は、本実施形態の通信システム２１の動作の一例を示すフローチャートである。
【００５７】
本実施形態の通信仲介装置（管理サーバ２３０およびＳＩＰ対応サーバ２５０）のデータ処理方法は、上記実施形態のデータ処理方法に加え、さらに、通信仲介装置（管理サーバ２３０およびＳＩＰ対応サーバ２５０）は、通話履歴を記憶する通話履歴記憶部２３４と、発信先電話番号ごとに発呼する契約電話発呼（第２電話番号）を記憶する電話番号テーブル記憶部２０２と、を有し、通信仲介装置（管理サーバ２３０およびＳＩＰ対応サーバ２５０）は、発信先電話機１８０の発信先電話番号からキャリアを推定し（ステップＳ２０１）、電話番号テーブル記憶部２０２を参照し、推定された発信先電話機１８０のキャリアに対応する契約電話番号を選択し（ステップＳ２０１）、ユーザ携帯電話機１００および発信先電話機１８０間の通話後（ステップＳ２０５のＹＥＳ）、その通話条件および通話料金を取得し（ステップＳ２０７）、発信先電話機１８０の発信先電話番号ごとに、選択した契約電話番号のキャリア情報、通話条件、および通話料金を関連付けて通話履歴として通話履歴記憶部２３４に記録し（ステップＳ２０３、Ｓ２０９）、通話履歴に基づき、通話条件下で発信先電話機１８０との通話料金が少ない契約電話番号のキャリアを判別し（ステップＳ２１１）、判別された契約電話番号のキャリアを発信先電話機１８０の発信先電話番号に発呼する際に使用する契約電話番号のキャリアとしてキャリアテーブル記憶部２４２に登録し（ステップＳ２１１）、発信先電話機１８０の発信先電話番号に発呼する契約電話番号のキャリアとして、キャリアテーブル記憶部２４２に登録されたキャリアを決定する（ステップＳ２０１）。
【００５８】
本実施形態の通信システム２１は、上記実施形態の通信システム１の動作を説明するのに使用した図３のフローチャートと同様な動作に加え、ステップＳ２０１〜Ｓ２１１の動作を行う。図３と同様なステップＳ１３１以前の動作、および、ユーザ携帯電話機１００およびＳＩＰ対応サーバ２５０の動作については、図７では省略してある。
【００５９】
管理サーバ２００において、ステップＳ１３１で、発信要求を要求受信部２１０が受信したとき（ステップＳ１３１のＹＥＳ）、発信元キャリア特定部２１２が、発信要求に含まれるキャリア情報を取得してキャリアＡを特定し、選択部２１４が、電話番号テーブル記憶部２０２を参照し、発信元キャリア特定部２１２により特定されたキャリアＡに対応する契約電話番号を第１電話番号として選択する（ステップＳ１３３）。
【００６０】
そして、発信先キャリア推定部２３２が、キャリアテーブル記憶部２４２を参照し、要求受信部２１０が受信した発信先電話機１８０の発信先電話番号に対応するキャリアＢを推定し、選択部２１４が、電話番号テーブル記憶部２０２を参照し、発信先キャリア推定部２３２により推定されたキャリアＢに対応する契約電話番号を第２電話番号として選択する（ステップＳ２０１）。
【００６１】
そして、発信指示部２１６が、選択部２１４が選択した第１電話番号および第２電話番号、発信要求から得たユーザ携帯電話機１００の電話番号および発信先電話機１８０の電話番号を、ＳＩＰ対応サーバ２５０に通知し、ＳＩＰ対応サーバ２５０に発信を指示する（ステップＳ１３５）。
【００６２】
そして、選択部２３６が、通話履歴記憶部２３４に、発信先電話機１８０の発信先電話番号ごとに、選択した契約電話番号のキャリア情報を関連付けて通話履歴として記録する（ステップＳ２０３）。
【００６３】
そして、ＳＩＰ対応サーバ２５０によりユーザ携帯電話機１００と発信先電話機１８０の接続処理が行われ、通話が行われた後（ステップＳ２０５のＹＥＳ）、料金取得部２３８が、その通話条件および通話料金をネットワーク３を介してキャリアＢのキャリアサーバ１０に問い合わせて取得する（ステップＳ２０７）。
【００６４】
そして、料金取得部２３８は、取得した通話条件および通話料金を通話履歴記憶部２３４に通話履歴として記録する（ステップＳ２０９）。そして、判別部２４０が通話履歴記憶部２３４を参照し、通話履歴に基づき、通話条件下で発信先電話機１８０との通話料金が少ない契約電話番号のキャリアを判別し、判別されたキャリアを発信先電話機１８０の発信先電話番号に発呼する際に使用する契約電話番号のキャリアとしてキャリアテーブル記憶部２４２に登録する（ステップＳ２１１）。
【００６５】
次回、発信先電話機１８０に発信要求がなされた場合、発信先キャリア推定部２３２は、キャリアテーブル記憶部２４２に新たに登録されたキャリアを決定し、選択部２３６は決定されたキャリアの契約電話番号を第２電話番号として選択することとなる。このような動作を繰り返すことで、キャリアテーブル記憶部２４２の情報を更新し、キャリアを精度よく特定していくことができる。
【００６６】
以上、説明したように、本発明の実施形態の通信システム２１によれば、発信先の発信先電話機１８０とのキャリアを推定して、第２電話番号を同じキャリアに揃えて発呼し、回線を接続することができるので、発信先電話機１８０とＳＩＰ対応サーバ２５０間の通信キャリアを同じにすることができる。同じキャリアによる接続を実現することで、通話品質の向上が期待できるとともに、キャリアが提供する様々なサービスを受けることが可能となる。実際の通話料金を取得してキャリアを特定していくので、キャリアごとに各種のサービス内容に対応した通話料金体系の情報などを管理サーバ２００で管理する必要がなく、管理サーバ２３０の判別部２４０は簡単な処理で精度のよい結果を得ることができる。
【００６７】
以上、図面を参照して本発明の実施形態について述べたが、これらは本発明の例示であり、上記以外の様々な構成を採用することもできる。
【００６８】
たとえば、他の実施形態の通信システムにおいて、図１または図４の電話番号テーブル記憶部２０２は、同一キャリアでも異なるサービスを契約した複数の契約電話番号を含むことができる。そして、取得部（選択部２１４または選択部２３６）は、複数の契約電話番号の中から通話条件に適したサービスが契約されている契約電話番号を第１電話番号または第２電話番号として選択してもよい。すなわち、選択部２１４または選択部２３６は、様々なサービスの中から、通話条件に従って、最適なサービスが契約されている契約電話番号を選択してもよい。たとえば、契約コース、通話時間帯、グループ契約など通話条件による通話料金の割引やポイント付加、利用などのサービスが考えられる。
この構成によれば、より適切なサービスを利用して通話が可能になる。
【図面の簡単な説明】
【００６９】
【図１】本発明の実施の形態に係る通信システムの構成を示す機能ブロック図である。
【図２】図１の通信システムの管理サーバの電話番号テーブル記憶部の構造の一例を示す図である。
【図３】図１の通信システムの動作の一例を示すフローチャートである。
【図４】本発明の実施の形態に係る通信システムの構成を示す機能ブロック図である。
【図５】図４の通信システムの管理サーバのキャリアテーブル記憶部の構造の一例を示す図である。
【図６】図４の通信システムの管理サーバの通話履歴記憶部の構造の一例を示す図である。
【図７】図４の通信システムの動作の一例を示すフローチャートである。
【符号の説明】
【００７０】
１  通信システム
３  ネットワーク
５  公衆回線網
７  公衆回線網
１０  キャリアサーバ
２１  通信システム
１００  ユーザ携帯電話機
１０２  発信要求部
１０４  回線接続部
１８０  発信先電話機
２００  管理サーバ
２０２  電話番号テーブル記憶部
２１０  要求受信部
２１２  発信元キャリア特定部
２１４  選択部
２１６  発信指示部
２３０  管理サーバ
２３２  発信先キャリア推定部
２３４  通話履歴記憶部
２３６  選択部
２３８  料金取得部
２４０  判別部
２４２  キャリアテーブル記憶部
２５０  ＳＩＰ対応サーバ
２５２  第一接続部
２５４  第二接続部
２５６  回線接続部
【図１】
2010074397.tif 000003
【図２】
2010074397.tif 000004
【図３】
2010074397.tif 000005
【図４】
2010074397.tif 000006
【図５】
2010074397.tif 000007
【図６】
2010074397.tif 000008
【図７】
2010074397.tif 000009